【事件の表示】
　特許第２９７５５５１号「パチンコ機」の特許に対する特許異議の申立てについて、次のとおり決定する。
【結　論】
　特許第２９７５５５１号の特許を維持する。
【理　由】
一、手続の経緯
　本件特許第２９７５５５１号に係る発明についての出願は、昭和６２年８月２４日に出願された特願昭６２−２１０８５７号の特許出願の一部を分割して、特願平７−１８０７４９号として平成７年６月２３日に新たな特許出願としたものであり、平成１１年９月３日にその発明について特許の設定登録がなされた後、その特許について、特許異議申立人河井清悦（以下、「申立人」という。）より特許異議の申立てがなされたものである。
　
二、本件発明の要旨
　本件の発明の要旨は、特許明細書及び図面の記載からみて、その特許請求の範囲の第１項に記載されたとおりの次のものである。
「１．遊技を制御するマイクロコンピュータを有するとともに、所定周期でタイミング信号を発生する信号発生回路と、特定位置の球の通過を検出する検出スイッチと、変動表示器と、入賞口とを有し、上記タイミング信号に同期して割込処理で起動され、当たりか外れかのモードを決定するための値を更新し、上記検出スイッチにて上記特定位置の球の通過が検出されたときに前記値を得て上記変動表示器の表示を変動させ、前記得られた値により当たりか外れかのモードを決定し、前記決定したモードに応じて前記変動表示器の表示を確定して表示を停止させ、当たりモードに応じて開閉される入賞口への球の入賞確率を制御するプログラムを実行することを特徴とするパチンコ機。」（以下、「本件発明」という。）
　
三、特許異議申立て
（１）申立ての理由の概要
　申立人は、下記の証拠方法を提示して、本件発明は、本件出願前に頒布された刊行物である下記甲第１号証に記載された発明であるから、本件特許は特許法第２９条第１項第３号の規定に違反してされたものであり、また、本件発明は、本件出願前に頒布された刊行物である下記甲第１号証ないし同甲第５号証に記載された発明に基いて当業者が容易に発明をすることができたものであるから、本件特許は特許法第２９条第２項の規定に違反してされたものであるので、本件特許は取り消されるべきものである旨を主張している。
                   　　　　　　　 記
［甲第１号証］：特開昭６２−１８３７８０号公報
［甲第２号証］：特開昭６０−４１９８０号公報
［甲第３号証］：特開昭６２−１０９５８２号公報
［甲第４号証］：特開昭６１−２０９６８１号公報
［甲第５号証］：特開昭６２−１８３７８１号公報
　
（２）甲第１号証ないし甲第５号証の記載事項
［甲第１号証］には、パチンコ機に関し、次の事項が記載されている。
　「（１）特定入賞口に於ける玉の入賞を検出する入賞検出装置を設け、該特定入賞口への入賞に応じて、より入賞確率の高くなる当たりモードを決定し、そのモードに応じて、入賞口への球の入賞確率を制御するとともに、発光装置、発音装置等の出力装置を駆動する制御装置とからなるパチンコ機」（１頁左欄５行〜１１行）
　「遊戯盤５１の中央部には、特定入賞口５２、５３、５４に球が入賞した時に、偶然性の組合せ状態を表示する数値表示器２７と、ランプ表示器２９が配設されている。数値表示器２７は、３桁のＬＥＤ表示器であり、ランプ表示器２９は、サイクリックに赤と青のＬＥＤが配設されたランプである。特定入賞口に入賞した時は、当たりモードを決定する為に、３桁の数値の各桁の数値と、ランプ表示器２９の点燈ＬＥＤが、それぞれ、異なる周期で回転し、それらが静止状態になった時の、組合せで当たりモードが決定され、そのモードに応じて、大入賞口６３の開閉扉６４の開時間等が制御される」（３頁左上欄１３行〜右上欄５行）
　「特定入賞口における入賞球を検出する入賞検出スイッチ７、大入賞口における入賞球を検出する大入賞口入賞検出スイッチ９、Ｖ入賞口における入賞球を検出するＶ入賞検出スイッチ１１は、チャタリングを防止するためのフリップフロップからなる波形整形回路１３を介してデュアルコンピュータ１に接続されている。上記のスイッチは、リミットスイッチで構成されており、各入賞口から入賞した球を案内するレールに配設されている。クロック発生回路１７は、４ＭＨｚのクロック信号をデュアルコンピュータ１に出力すると共に、分周器１５に信号を出力している。分周器１５は、クロック信号を分周し、周期４．０９６ｍｓｅｃの外部割込み信号をデュアルコンピュータ１に出力している。デュアルコンピュータ１の主制御は、この割込み信号に同期して起動される。２１は電源回路であり、起動スイッチ２３の信号は、リセット信号発生回路１９に入力し、その出力信号であるリセット信号は、デュアルコンピュータ１のリセット端子に入力しており、そのリセット信号により、初期プログラムが実行される。」（３頁左下欄１１行〜右下欄１２行）
　「表示器駆動回路２５、表示器選択回路３１には、前述した数値表示器２７、ランプ表示器２９、記憶個数表示器３０が接続されている。それらの表示器は、デュアルコンピュータ１から選択データと、表示データとを定周期で出力することにり、ダイナミック駆動される。即ち、表示器選択回路３１により、各表示単位が選択され、その時の表示器駆動回路２５の出力信号に応じて表示される。」（３頁右下欄１６行〜４頁左上欄４行）
　「初期セット後、定時間（４．０９６ｍｓｅｃ）ごとの外部割り込み信号が入力されるごとに、ＣＰＵ１は、第４図のプログラムを実行する。」（４頁右上欄１７行〜１９行）
　「数値表示器２７は、レジスタＸ１，Ｘ２，Ｘ３の値を表示」（４頁左下欄２０行〜右上欄１行）
　「ステップ１２４でカウンタＣの値が判定され、入賞が検出されると、カウンタＣの値を１減算し、組合せ動作状態を示すためレジスタＦを１にセットし、タイマＴ１を所定値に設定する（ステップ１２４〜１３０）。そして、ステップ１３２で、乱数発生処理を行い、発生した乱数をレジスタＸ１，Ｘ２，Ｘ３，Ｌに記憶する。ステップ１３４でタイムアップとなるまで、ステップ１００〜１１８，１３２，１３４，１７０〜１９２の処理を繰り返す。そして、この乱数の設定は、ステップ１３２を通過するごとに行う様にしている。タイムアップすると、ステップ１３６で、レジスタＸ１，Ｘ２，Ｘ３，Ｌに設定されている内容から当たりモードが決定され、レジスタＲにそのモードが設定される。０は外れ、１は小当たり、２は中当たり、３は、大当たりである。外れの時は、レジスタＦを０にして、次の入賞球の判定のサイクルへ移行する。」（５頁左上欄８行〜右上欄５行）
　「ステップ１３６の判定結果が当たりの時は、その当たりモードに応じて、タイマＴ２に時間が設定される。そして、タイムアップと判定されるまで、上述したバックグランド処理が行われる」（５頁右上欄７行〜１０行）
　
［甲第２号証］には、パチンコの打球装置に関し、次の事項が記載されている。
　「所定のパルス巾を持つタイミング信号を発生する回路」（１頁左欄１０行〜１１行）
　「カウンタ４は電源５から商用周波数の入力信号を受け、その周波数をカウントし、毎分１００個のパルスを出力端子ｂに出力する。すなわち、電源周波数が５０Ｈｚであるとすれば、８０Ｈｚをカウントする毎に１個のパルスを発生すればよいのであるから、３０カウントのカウンタを用いればよく、それにより１／３０倍の分周を行なったことになる。第２図の（ｂ）は、カウンタ４の出力端子ｂに表われる信号を示すものであって、その周期Ｔは毎分１００パルスを与えるためには０．６秒になる。」（２頁右下欄１６行〜３頁左上欄６行）
　「なお、前記実施例においては、クロックパルスとして、商用電源の交流周波数を利用しているが、これは水晶発振器等他の発振器と置換することができる。また、カウンタを分周器として用いているが、それ以外の分周器を用いてもよく、直接毎分１００パルスの発振を行なう発振器を用いてもよい。」（３頁右下欄１行〜７行）
　
［甲第３号証］には、パチンコ遊技機に関し、「第６図は、ＣＰＵ５０に於て実行される制御プログラムのフローチャートを示し、該プログラムはリセット回路５４からのリセット信号に従い周期的に実行される。まず、ステップ６０１に於て電源投入時ならば初期化処理に移行し（ステップ６０２）、ＲＡＭ５２内のスイッチフラグ、入賞回数データ、コマンドデータ及び制御出力データ等をクリアにすると共に、ＣＰＵ５０内のリフレッシュカウンタ（図示せず）にて乱数を発生させ、これを下部表示器２３の表示データとして用いる。」（３頁右上欄１１行〜２０行）が記載されている。
　
［甲第４号証］には、パチンコ遊技機に関し、次の事項が記載されている。
　「（１）遊技盤に設けた複数の入賞領域と、各該入賞領域への入賞を検出する手段と、前記遊技盤上に配されて遊技状況を表示する表示器と、前記表示器を制御する手段とを備えるパチンコ遊技機において、前記表示器は複数の表示モードを有し、前記制御手段は前記表示器の表示モードを前記検出手段にて検出した入賞内容に応じて切換えるようにしたことを特徴とするパチンコ遊技機。」（１頁左欄５行〜１３行）
　「第１図に示すように、パチンコ遊技機の遊技盤１には通常の入賞穴２〜８に加え、第１特定入賞領域をなすチャッカ１１〜１３及び第２特定入賞領域としてのアタッカ１４がそれぞれ所定の位置に設けられ、また、アタッカ１４の内部略中央には上端開□を介して遊技球が飛入可能な中央ポケット１５が配設され第３特定入賞領域をなしている」（２頁右上欄７行〜１４行）
　「第２図はパチンコ遊技機の回路構成の概略を示し、上述の各種スイッチ１８，１９，２１，２６は、これらスイッチの開閉状態に応じたレベルの各種入賞表示信号Ｓ１〜Ｓ３及びＬＥＤ回転停止信号Ｓ４を出力するスイッチ入力検出回路３０を介して入出力回路４０の入力ポートに接続されている。中央処理装置（ＣＰＵ）５０はデータバス、アドレスバス及びコントロールバスを介して入出力回路４０の入出力ポートに接続されると共に後述の制御プログラム等を記憶しているリードオンリメモリ（ＲＯＭ）５１及びＣＰＵ５０に於て実行される各種演算及び判別結果等を記憶するランダムアクセスメモリ（ＲＡＭ）５２に接続されている。クロック回路５３は所定周期のクロック信号Ｓ５を発生させ、これをＣＰＵ５０及びリセット回路５４に供給し、該リセット回路５４はクロック信号Ｓ５を分周して後述の制御プログラムの実行を開始させるリセット信号Ｓ６を発生させＣＰＵ５０に供給する。」（２頁右下欄１０行〜３頁左上欄８行）
　「第５図は、ＣＰＵ５０に於て実行される制御プログラムのフローチャートを示し、該プログラムはリセット回路５４からのリセット信号Ｓ６に従い周期的に実行される。」（５頁右上欄２行〜５行）
　「ＣＰＵ５０内のリフレッシュカウンタ（図示せず）にて乱数を発生させ、これを下部表示器２３の表示データとして用い、入賞確率がランダムになるようにしている。」（５頁右上欄１０行〜１３行）
　
［甲第５号証］には、パチンコ機に関し、次の事項が記載されている。
　「（１）特定入賞口に於ける玉の入賞を検出する入賞検出装置を設け、該特定入賞口への入賞に応じて、より入賞確率の高くなる当たりモードを決定し、そのモードに応じて、入賞口への球の入賞確率を制御する」（１頁左欄５行〜９行）
　「特定入賞口に入賞すると、当たりモードを決定する組合せ動作が開始される」（２頁右下欄１９行〜３頁左上欄１行）
　「クロック発生回路１７は、４ＭＨｚのクロック信号をＭＰＵ１、ＭＰＵ２に出力すると共に、分周器１５に信号を出力している。分周器１５は、クロック信号を分周し、周期４．０９６ｍｓｅｃの外部割込み信号をＭＰＵ１に出力している。ＭＰＵ１の主制御は、この割込み信号に同期して起動される。」（３頁左下欄９行〜１５行）
　
（３）甲第１号証についての検討
１．対比、及び、相違点・一致点
　甲第１号証の明細書及び図面の記載からみて、甲第１号証には、遊戯盤５１の中央部に特定入賞口５２、５３、５４に球が入賞した時に偶然性の組合せ状態を表示する数値表示器２７とランプ表示器２９が配設され、前記特定入賞口に於ける玉の入賞を検出する入賞検出装置が設けられ、前記特定入賞口５２、５３、５４に入賞した時は当たりモードを決定する為に３桁の数値の各桁の数値とランプ表示器２９の点燈ＬＥＤがそれぞれ異なる周期で回転し、それらが静止状態になった時の組合せで当たりモードが決定され、該特定入賞口への入賞に応じてより入賞確率の高くなる当たりモードを決定し、そのモードに応じて大入賞口６３の開閉扉６４の開時間等が制御されることにより入賞口への球の入賞確率を制御するとともに、発光装置、発音装置等の出力装置を駆動する制御装置とからなるパチンコ機において、前記特定入賞口５２、５３、５４における入賞球を検出する入賞検出スイッチ７、大入賞口６３における入賞球を検出する大入賞口入賞検出スイッチ９、Ｖ入賞口における入賞球を検出するＶ入賞検出スイッチ１１が波形整形回路１３を介してデュアルコンピュータ１に接続され、クロック発生回路１７が４ＭＨｚのクロック信号をデュアルコンピュータ１に出力すると共に分周器１５に信号を出力し、該分周器１５はクロック信号を分周して周期４．０９６ｍｓｅｃの外部割込み信号をデュアルコンピュータ１に出力し、デュアルコンピュータ１の主制御はこの割込み信号に同期して起動され、起動スイッチ２３の信号がリセット信号発生回路１９に入力し、その出力信号であるリセット信号がデュアルコンピュータ１のリセット端子に入力しており、そのリセット信号により初期プログラムが実行されるようになっていて、カウンタＣの値が判定されて入賞が検出されるとカウンタＣの値を１減算し、組合せ動作状態を示すためレジスタＦを１にセットし、タイマＴ１を所定値に設定し、ステップ１３２で乱数発生処理を行なって発生した乱数をレジスタＸ１，Ｘ２，Ｘ３，Ｌに記憶し、ステップ１３４でタイムアップとなるまで、ステップ１００〜１１８，１３２，１３４，１７０〜１９２の処理を繰り返すものであって、この乱数の設定を、ステップ１３２［乱数発生処理（Ｘ１，Ｘ２，Ｘ３，Ｌ）セット］を通過するごとに行い、ステップ１３４でタイムアップすると、ステップ１３６［レジスタＸ１，Ｘ２，Ｘ３，Ｌに設定されている内容から当たりモードを決定し、当たりモードレジスタＲにそのモードを設定］が実行されるパチンコ機、が記載されていると認める。
　ここで、本件発明と甲第１号証に記載の発明とを対比すると、甲第１号証に記載の発明の「デュアルコンピュータ１」「前記特定入賞口に於ける玉の入賞を検出する入賞検出装置」「特定入賞口５２、５３、５４に球が入賞した時に偶然性の組合せ状態を表示する数値表示器２７」「大入賞口６３」「入賞検出スイッチ７が前記特定入賞口５２、５３、５４における入賞球を検出するとき」「３桁の数値の各桁の数値とランプ表示器２９の点燈ＬＥＤがそれぞれ異なる周期で回転」「該特定入賞口への入賞に応じてより入賞確率の高くなる当たりモードを決定し、そのモードに応じて大入賞口６３の開閉扉６４の開時間等が制御されることにより入賞口への球の入賞確率を制御するとともに、発光装置、発音装置等の出力装置を駆動する制御装置」「パチンコ機」が、本件発明の「遊技を制御するマイクロコンピュータ」「特定位置の球の通過を検出する検出スイッチ」「変動表示器」「入賞口」「上記検出スイッチにて上記特定位置の球の通過が検出されたときに」「上記変動表示器の表示を変動させ、」「当たりモードに応じて開閉される入賞口への球の入賞確率を制御するプログラムを実行すること」「パチンコ機」にそれぞれ相当する。
　そうしてみると、本件発明と甲第１号証に記載の発明とは、「遊技を制御するマイクロコンピュータを有するとともに、特定位置の球の通過を検出する検出スイッチと、変動表示器と、入賞口とを有し、上記変動表示器の表示を変動させ、表示を停止させ、当たりモードに応じて開閉される入賞口への球の入賞確率を制御するプログラムを実行するパチンコ機」の点で一致し、次の点で構成が相違する。
［相違点１］：本件発明が「所定周期でタイミング信号を発生する信号発生回路」を有するのに対し、甲第１号証に記載の発明では前記「所定周期でタイミング信号を発生する信号発生回路」を有しているか否か明確でない点。
［相違点２］：当たりか外れかのモードの決定が、本件発明では「上記タイミング信号に同期して割込処理で起動され、当たりか外れかのモードを決定するための値を更新し、上記検出スイッチにて上記特定位置の球の通過が検出されたときに前記値を得て、前記得られた値により当たりか外れかのモードを決定し、その決定したモードに応じて前記変動表示器の表示を確定する」のに対し、甲第１号証に記載の発明では「特定入賞口５２、５３、５４に入賞した時に３桁の数値の各桁の数値とランプ表示器２９の点燈ＬＥＤがそれぞれ異なる周期で回転し、それらが静止状態になった時の組合せで当たりモードが決定され」る点。
　
　ここで、上記相違点１、及び相違点２について、さらに検討する。
［相違点１］について
　甲第１号証に記載の発明における「クロック信号」は、クロック発生回路１７がデュアルコンピュータ１及び分周器１５に出力する４ＭＨｚの信号であり、また「外部割込み信号」は、分周器１５が前記「クロック信号」を分周してデュアルコンピュータ１に出力する周期４．０９６ｍｓｅｃの信号であり、デュアルコンピュータ１の主制御を同期させて起動するためのものである。さらに、甲第１号証に記載の発明における「リセット信号」は、リセット信号発生回路１９の出力信号であり、デュアルコンピュータ１のリセット端子に入力して初期プログラムを実行するためのものである。
　一方、本件発明の「タイミング信号」は、当たりか外れかのモードを決定するための値を割込処理で起動するときに同期させる信号であるから、甲第１号証に記載の発明における「クロック信号」「外部割込み信号」又は「リセット信号」のいずれの信号も、本件発明の「タイミング信号」と同じ役割を果たす信号であるということができない。
　したがって、甲第１号証に記載の発明は、本件発明の「所定周期でタイミング信号を発生する信号発生回路」を有していない点で、本件発明と相違する。
　
［相違点２］について
　甲第１号証に記載の発明における当たりか外れかのモードの決定が、特定入賞口５２、５３、５４に入賞した時に３桁の数値の各桁の数値とランプ表示器２９の点燈ＬＥＤがそれぞれ異なる周期で回転し、それらが静止状態になった時の組合せによるのに対して、本件発明の当たりか外れかのモードの決定は、タイミング信号に同期して割込処理で起動され、当たりか外れかのモードを決定するための値が更新されて、検出スイッチにて特定位置の球の通過が検出されたときに得られる前記値により決定されるのであるから、甲第１号証に記載の発明における「特定入賞口５２、５３、５４に入賞した時に３桁の数値の各桁の数値とランプ表示器２９の点燈ＬＥＤがそれぞれ異なる周期で回転し、それらが静止状態になった時の組合せ」が本件発明の「タイミング信号に同期して割込処理で起動され、当たりか外れかのモードを決定するための値が更新されて、検出スイッチにて特定位置の球の通過が検出されたときに得られる前記値」に相当するものということはできない。
　したがって、本件発明と甲第１号証に記載の発明との間には上記の相違点が存在するから、本件発明は上記甲第１号証に記載された発明である、ということはできない。
　
２．相違点についての判断
　申立人の提示した甲第２号証に「所定のパルス巾を持つタイミング信号を発生する回路を有するパチンコの打球装置」が記載されているが、前記回路は本件発明のタイミング信号と同じ役割を果たすための信号を発生する回路ではなく、また、甲第２号証には、本件発明の「上記タイミング信号に同期して割込処理で起動され、当たりか外れかのモードを決定するための値を更新し、上記検出スイッチにて上記特定位置の球の通過が検出されたときに前記値を得て」の構成が記載されていない。
　同じく、申立人の提示した甲第３号証、甲第４号証及び甲第５号証には、それぞれ「ＣＰＵ５０内のリフレッシュカウンタにて乱数を発生させ、下部表示器２３の表示データとして用いるパチンコ遊技機」「ＣＰＵ５０内のリフレッシュカウンタにて乱数を発生させ、下部表示器２３の表示データとして用い、入賞確率がランダムとなるようにするパチンコ遊技機」「ＭＰＵ１の主制御が、割込み信号に同期して起動されるパチンコ機」について記載されているが、前記甲第３号証、甲第４号証及び甲第５号証のいずれにも、本件発明の前記「上記タイミング信号に同期して割込処理で起動され、当たりか外れかのモードを決定するための値を更新し、上記検出スイッチにて上記特定位置の球の通過が検出されたときに前記値を得て」の構成が記載されていない。
　したがって、甲第１号証に記載の発明に上記甲第２号証ないし甲第５号証に記載の発明を適用しても、本件発明のような構成を得ることができない。そして、本件発明は、その特許請求の範囲の第１項に記載された発明の構成により、本件発明の特許明細書に記載された「本発明は、パチンコ機がリセットされた後の任意の時刻において起動されるプログラムによってある値を発生させているとともに、特定位置を球が通過したときに得られる同値を使用して当たりモードを決定しているので、タイミングが偶然性に支配され、使用される値はより偶然性の高いものとなる。このため、規則性が排除され、より娯楽性が高いパチンコ機が得られる。」という効果を奏するものである。
　したがって、本件発明は上記甲第１号証ないし甲第５号証に記載の発明に基いて当業者が容易に発明をすることができたもの、とすることもできない。
　
四、むすび
　以上のとおりであるから、特許異議の申立ての理由によっては本件発明についての特許を取り消すことができない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年９月２９日（２０００．９．２９）